【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
吻合デバイスの可撓性リング形状部分を吻合デバイスの剛性部分上に取り付けるための第１のマウンティングツールであって、
可撓性部分を遠位端部で収容するための、マウンティングツールの遠位端部における収容部位（１０４）と、前記収容部位（１０４）の近位にあるハンドル部位（１０３）とを含み：
前記収容部位（１０４）は、細長いチューブ状シート要素（１０１）とチューブ状変位要素（２０１）とを含み、
チューブ状変位要素（２０１）は、シェルフ（４０１）がチューブ状変位要素（２０１）の周囲におよびシート要素（１０１）の遠位に得られるようにシート要素（１０１）に対して長手方向に変位可能にシート要素（１０１）内に配置されており、前記シェルフ（４０１）が可撓性部分を収容するように構成されること、
を特徴とする第１のマウンティングツール。
【請求項２】
中央部分（１０５）がハンドル部位（１０３）および収容部位（１０４）を連結し、中央部位（１０５）がハンドル部位（１０３）および／または収容部位（１０４））の横断面よりも小さな横断面方向の外径を有する、請求項１に記載の第１のマウンティングツール。
【請求項３】
細長いチューブ状シート要素（１０１）およびチューブ状変位要素（２０１）が水平面においてリング形状の断面を有し、チューブ状変位要素（２０１）が細長いチューブ状シート要素（１０１）の内側で長手方向に動くことができるように、チューブ状変位要素（２０１）の外径が細長いチューブ状シート要素（１０１）の内径に実質的に対応する、請求項１に記載の第１のマウンティングツール。
【請求項４】
チューブ状切断要素（３０１）がチューブ状変位要素（２０１）内で、およびそれらに対して長手方向に変位可能であるように、チューブ状変位要素（２０１）の内側のチューブ状切断要素（３０１）をさらに含む、請求項１に記載の第１のマウンティングツール。
【請求項５】
切断要素（３０１）が水平面においてリング形状の断面を有し、チューブ状切断要素（３０１）の外径が細長いチューブ状変位要素（２０１）の内径に実質的に対応する、請求項４に記載の第１のマウンティングツール。
【請求項６】
バネ負荷の解除によりシート要素（１０１）または切断要素（３０１）を変位要素（２０１）に対して遠位に移動させるように、チューブ状シート要素（１０１）またはチューブ状切断要素（３０１）が、収容部位（１０４）の近位にバネ負荷されている、請求項１または請求項４に記載の第１のマウンティングツール。
【請求項７】
シート要素（１０１）および切断要素（３０１）にそれぞれ対応して、解除バー（１０７）の第１のセットまたは解除バー（２０７）の第２のセットを含み、活性化された場合にバネ負荷を解除する、請求項６に記載の第１のマウンティングツール。
【請求項８】
解除バー（１０７）の第１のセットが支持リッジ５０１を有し、遠位端部において、支持リッジ（５０１）が内に向かって方向付けられたフランジ（５０５）を具備し、バネ負荷された位置において、前記フランジ（５０５）が変位要素（２０１）におけるノッチ（５０６）を係合する、請求項７に記載の第１のマウンティングツール。
【請求項９】
解除バー（２０７）の第２のセットが支持リッジ（６０１）を有し、解除バー（２０７）がタング（６０３）によって支持リッジ（６０１）に連結され、タング（６０３）の近位端部が内に向かって方向付けられたフランジ（６０４）を具備し、バネ負荷された位置において、前記フランジ（６０４）が下にある切断要素（３０１）におけるノッチ（６０５）を係合する、請求項７または請求項８に記載の第１のマウンティングツール。
【請求項１０】
マウンティングツールの近位端部における吸引デバイスへの連結のための中央通路または内腔を含む、請求項１または請求項４に記載の第１のマウンティングツール。
【請求項１１】
チューブ状の固定要素（７０１）を含むマウンティングツールであって、前記固定要素（７０１）がチューブ状の連結子要素（７０２）を含み、前記チューブ状の連結子要素（７０２）がその遠位端部において配置されたチューブ状の上部連結子（７０３）を有し、そしてその近位端部において連結子ユニット（７０４）に連結され、前記固定要素（７０１）が連結子要素（７０２）の内側のチューブ状のロッキング要素（７０５）をさらに含み、前記チューブ状のロッキング要素がその中で変位可能であり、前記ロッキング要素（７０５）がその遠位端部においてロッキングユニット（７０９）を有する、請求項１または請求項４に記載の第１のマウンティングツール。
【請求項１２】
ロッキングユニット（７０９）が内側のフランジを備えた遠位ロッキングタング（７１０）を含み、遠位ロッキングタング（７１０）は雌嵌合連結を形成し、それらが近位に移動する場合、それらは上部連結子（７０３）内で半径方向に圧縮することができる、請求項１１に記載の第１のマウンティングツール。
【請求項１３】
吻合デバイスの剛性部分上の吻合デバイスの可撓性リング形状部分の収容ための第２のマウンティングツールであって、
第１のマウンティングツールにおける中央通路または内腔を介して通過するための長手方向の案内要素（８０１）と；
案内要素（８０１）上の遠位に配置された連結プレート（８０２）とを含み、
前記連結プレート（８０２）が吻合デバイスの剛性部分に連結するように構成される第２のマウンティングツール。
【請求項１４】
案内要素（８０１）が中空の構成を有する、請求項１３に記載の第２のマウンティングツール。
【請求項１５】
連結プレート（８０２）が、近位上部端部および遠位基部端部により実質的に円錐形状を有し、その遠位端部において吻合デバイスの剛性部分で周囲にスナップイン嵌合またはねじ込み嵌合されるように構成される、請求項１３に記載の第２のマウンティングツール。
【請求項１６】
連結プレート（８０２）の近位円錐状表面が、請求項１に記載のマウンティングツールの収容部位（１０４）に近接して嵌合および／または取り付けるように構成される、請求項１３に記載の第２のマウンティングツール。
【請求項１７】
案内要素（８０１）が連結プレート（８０２）の遠位部分に連結された吻合デバイスの剛性部分を介しても通過するように、案内要素（８０１）が連結プレート（８０２）を介して延長する、請求項１３に記載の第２のマウンティングツール。
【請求項１８】
タングが（８０５）その間に生成されるように、連結プレート（８０２）を介して遠位に延長する部分が、スロット（８０４）を介して提供される、請求項１７に記載の第２のマウンティングツール。
【請求項１９】
連結プレート（８０２）に取り付けられた吻合デバイスの剛性部分の遠位で、案内要素（８０１）またはタング（８０５）に解除可能に連結されたフード（８０３）を含む、請求項１３に記載の第２のマウンティングツール。
【請求項２０】
フード（８０３）が中央通路を備えた円盤形状のユニットである、請求項１９に記載の第２のマウンティングツール。
【請求項２１】
案内要素（８０１）またはタングが、フード（８０３）の中央通路を介して（８０５）延長し、フード（８０３）の遠位に位置して、フードロッカー（８０６）に連結する、請求項１９に記載の第２のマウンティングツール。
【請求項２２】
請求項１〜請求項１２のいずれかに記載の第２のマウンティングツールおよび、請求項１３〜請求項２１のいずれかに記載の第２のマウンティングツールを含むキット。